(57)【要約】本発明は脂肪吸入及び注入機能を有する遠心分離機に係り、より詳しくは従来の遠心分離機に加え、真空及び圧縮機能の可能なエアポンプ、バルブ及び制御部をさらに備えて、自家脂肪移植の際に行われる脂肪吸入、遠心分離、及び脂肪注入の過程を一つの器機で可能にする脂肪吸入及び注入機能を有する遠心分離機に関するものである。  このために、本発明は、従来の遠心分離機のケースの内部に位置し、真空及び圧縮機能が可能なエアポンプ１１、及び前記エアポンプに連結され、選択的に真空及び圧縮を行うように自動開閉されるバルブ１２を含むポンプ部１１、１２と；前記ポンプ部の機能を制御するための制御部５と；前記ポンプ部と真空及び圧縮が加えられる外部構成品２２とを連結するために、前記ケース７ｂの一側面に形成される連結具２１と；をそれぞれ備えて、脂肪吸入、遠心分離、脂肪注入の脂肪移植過程を一度に行うようにすることに特徴がある。【選択図】図１
2007532280.tif 000002
【特許請求の範囲】
【請求項１】
バケット１、ローター２、及びチェンバー３からなる遠心分離部１、２、３と；前記ローター２を駆動するための駆動手段４と；前記駆動手段４を制御するための制御部５と；前記駆動手段４及び制御部５に電源を供給するための電源部６と；前記遠心分離部１、２、３を開閉するドア７ａを備えるケース７ｂと；から構成される遠心分離機において、
前記ケース７ｂの内部に位置し、真空及び圧縮の機能が可能なエアポンプ１１、及び前記エアポンプに連結され、選択的に真空及び圧縮を行うように自動開閉されるバルブ１２を含むポンプ部１１、１２と；前記ポンプ部と、真空及び圧縮が加えられる外部構成品２２とを連結するために、前記ケース７ｂの一側面に形成される連結具２１と；をさらに備え、前記制御部５は、前記ポンプ部１１、１２の機能を制御することを特徴とする、脂肪吸入及び注入機能を有する遠心分離機。
【請求項２】
脂肪吸入及び注入の時、圧力を一定に維持するように圧力を調節することができる圧力調節機１３をエアポンプ１１とケース連結具２１との間にさらに含むことを特徴とする、請求項１に記載の脂肪吸入及び注入機能を有する遠心分離機。
【請求項３】
手術部位または手術者の熟練程度に応じて流速を調節して使用するように流速を調節することができる速度制御器１４をエアポンプ１１とケース連結具２１との間の圧縮ラインにさらに含むことを特徴とする、請求項１に記載の脂肪吸入及び注入機能を有する遠心分離機。
【請求項４】
バケット１、ローター２及びチェンバー３からなる遠心分離部１、２、３と；前記ローター２を駆動するための駆動手段４と；前記遠心分離部１、２、３を開閉するドア７ａを備えるケース７ｂと；前記ケース７ｂの内部に位置し、真空及び圧縮機能が可能なエアポンプ１１、及び前記エアポンプに連結され、選択的に真空及び圧縮を行うように自動開閉されるバルブ１２を含むポンプ部１１、１２と；前記駆動手段４と前記ポンプ部１１、１２を制御するための制御部５と；前記駆動手段４と制御部５に電源を供給するための電源部６と；前記ポンプ部と、真空及び圧縮が加えられる外部構成品２２とを連結するために、前記ケース７ｂの一側面に形成される連結具２１と；を備える遠心分離機を使用する脂肪を吸入及び注入する方法において、
切開部にカニューレを挿入し、第１足踏みスイッチ３１ａを作動して第１バルブ１２ａと第５バルブ１２ｅを開き、エアポンプ１１を稼動して外部構成品２２の内部を真空状態にすることで、脂肪を吸入する段階と；
脂肪を吸入した注射器を前記バケット１に装着し、前記遠心分離部１、２、３を作動して脂肪を遠心分離する段階と；
一般の皮下脂肪層に脂肪を注入する時には、第２足踏みスイッチ３１ｂを作動して第２バルブ１２ｂと第４バルブ１２ｄを開き、エアポンプ１１を稼動して外部構成品２２へ空気を供給することで、外部構成品２２内の脂肪を移植部位に注入し、筋肉層に脂肪を注入する時には、第３足踏みスイッチ３１ｃを作動して第３バルブ１２ｃと第４バルブ１２ｄを開き、エアポンプ１１を稼動して外部構成品２２へ空気を供給することで、外部構成品２２内の脂肪を移植部位に注入する段階とを含み、
電源部６をから電源を受けて器機をターンオンした時、制御部５で全てのバルブ１２を作動することで、ケース連結具２１とエアポンプ１１との間のラインに残留し得る空気を予め除去する段階をさらに含んでなることを特徴とする、脂肪吸入及び注入方法。
【請求項５】
真空または圧縮の作動中、意図せぬ圧力値以上になれば、制御部５がこれを感知して、作動中のバルブ１２とエアポンプ１１を停止させる段階をさらに含むことを特徴とする、請求項４に記載の脂肪吸入及び注入方法。
【請求項６】
真空または圧縮の作動を止めれば、全てのバルブ１２が作動して外部構成品２２の残留圧力を除去する段階をさらに含むことを特徴とする、請求項４または５に記載の脂肪吸入及び注入方法。
【発明の詳細な説明】
【技術分野】
【０００１】
本発明は脂肪吸入及び注入機能を有する遠心分離機に係り、より詳しくは従来の遠心分離機に加え、真空及び圧縮機能の可能なエアポンプ、バルブ及び制御部をさらに備えて、自家脂肪移植の際に行われる脂肪吸入、遠心分離、及び脂肪注入の過程を一つの器機で可能にする脂肪吸入及び注入機能を有する遠心分離機に関するものである。
【背景技術】
【０００２】
一般に、乳房拡大、顔成形（鼻、鼻唇、頬など）のような拡大成形には、補形物挿入術と自家脂肪注入術がある。補形物挿入術は、補形物の大きさを調節し易くて一度に大きく拡大成形することが可能であるが、異物を身体内に挿入するものであるから、臨床的に安全でなくて感触や感じが良くないと言う問題があった。一方、自家脂肪注入術は、自分の腹部、脚部などの過剰脂肪を吸入し、この吸入した脂肪を、相対的に貧弱な胸、ヒップ、顔などに再注入するので、不必要な部分の脂肪の除去及び貧弱な部分の拡大が同時に行われて身の均衡を成すことができ、自家脂肪を直接注入するものであるので、異物に対する抵抗感もないだけでなく、感触または感じが良いという利点がある。しかし、自家脂肪注入術の場合、脂肪生存率が２０〜５０％と極めて低くて所望の大きさを得ることができないという欠点があるため、所望の大きさを得ようとする時は、２回〜３回の手術が必要で時間と費用が多く要求される問題点があった。したがって、脂肪生存率を高めるための色々の試みが行われたところ、臨床実験の結果、純粋脂肪のみを漉しだして注入することで生存率を高めることができるということが分かることになった。脂肪を吸入すれば、脂肪のみならず、血液、体液、不純物などがともに吸入されて出るため、前記純粋脂肪を分離するための方法として遠心分離機を利用することができる。
【０００３】
前記のような自家脂肪注入術は、大別して、脂肪吸入、遠心分離、脂肪注入の過程からなる。通常、脂肪吸入は、吸引器を利用して吸引瓶（ｓｕｃｔｉｏｎ  ｂｏｔｔｌｅ）を真空にして脂肪を吸入し、純粋脂肪を作るための遠心分離過程は別途の遠心分離機を利用する。前記遠心分離の過程によって得られた脂肪を身体の移植部位に注入するためには、注射器を利用して直接手で注入することが一般的である。
【０００４】
したがって、自家脂肪注入術のためには、吸引器とは別に、遠心分離機も要求されるので、手術室の空間も多く占め、利用者が多くの器機を扱わなければならなく、あちらこちらに移動しながら手術しなければならない問題点があった。また、注入においても、注射器を利用して手で直接移植部位に注入するため、筋肉層のように抵抗の強い部位には大きな力が要求され、手を利用して一定圧力で注入し続けるのが大変難しいから、移植部位がデコボコになる問題点があった。
【発明の開示】
【発明が解決しようとする課題】
【０００５】
本発明は前記のような問題点を解消するためのもので、従来の遠心分離機に、真空及び圧縮の機能が可能なエアポンプ、バルブ、及び制御部を備えて、基本遠心分離機能はもちろん、外部構成品として、空圧を利用した真空及び圧縮を選択的に用いることにより、手術者が手で脂肪吸入及び注入を行うのに大きな力が要求され、圧力調節が大変難しいことから、身体の吸入または注入部位がデコボコになる副作用を防止し、自家脂肪注入術の手術の時、便利で速かに手術できるように、脂肪吸入、遠心分離、脂肪注入の過程を一括して可能にする器機を提供することにその目的がある。
【０００６】
ただ、従来の遠心分離機にも、チェンバーの内部を真空にして空気摩擦力を減らすための目的でエアポンプが設置されたものもあるが、本発明の目的は、エアポンプをチェンバー内の真空に利用するよりは、外部に連結された構成品で真空及び圧縮機能をして基本遠心分離機と一体化させることに特徴がある。
【課題を解決するための手段】
【０００７】
本発明による遠心分離機は、バケット、ローター、及びチェンバーからなる遠心分離部と；前記ローターを駆動するための駆動手段と；前記駆動手段を制御するための制御部と；前記駆動手段及び制御部に電源を供給するための電源部と；前記遠心分離部を開閉するドアを備えるケースと；から構成される遠心分離機において、前記ケースの内部に位置し、真空及び圧縮の機能が可能なエアポンプ、及び前記エアポンプに連結され、選択的に真空及び圧縮を行うように自動開閉されるバルブを含むポンプ部と；前記ポンプ部と、真空及び圧縮が加えられる外部構成品とを連結するために、前記ケースの一側面に形成される連結具と；をさらに備え、前記制御部は、前記ポンプ部の機能を制御することを特徴とする。
【発明の効果】
【０００８】
従来の遠心分離機に、エアポンプ、バルブ、制御部を付け加えて、基本的な遠心分離の機能を与えるほかに、ケースの外部連結具を介して連結された外部構成品に真空及び圧縮機能を与えることで、自家脂肪移植過程の脂肪吸入、遠心分離、脂肪注入の過程を一つの器機で可能にする。したがって、別途の吸引器設置のための空間が必要でないことはもちろん、部品もずっと簡素化するので、器機を小型化させることができ、一つの器機で自家脂肪注入術のすべての過程が行えるので、手術者が、手術の時、便利で速かに手術することができ、手術時間と手術者の努力を減らすことができる。
【０００９】
また、脂肪注入の時にも空圧を利用するので、筋肉層のように抵抗が強くても、小さな力で注入することができ、手で注入する場合と比べ、均一な圧力で注入するので、脂肪移植部位がデコボコになる部作用も無くすことができる。また、速度制御器をさらに装着することで、速度を速くまたは遅く調節することができるので、移植過程で手術者の熟練程度に応じて選択して使うことができる。
【図面の簡単な説明】
【００１０】
【図１】は本発明による遠心分離機の構成を示す図である。
【図２】は本発明による遠心分離機の初期電源供給時の作動準備のためのフローチャートである。
【図３】は本発明による遠心分離機の真空及び圧縮機能によるエアポンプとバルブの作動関係を示す図である。
【図４】は本発明による遠心分離機の足踏みスイッチ動作による作動を示すフローチャートである。
【発明を実施するための最良の形態】
【００１１】
以下、添付図面を参照しながら、本発明による遠心分離機をその好適な実施例に基づいて詳細に説明する。
【００１２】
図１は本発明による遠心分離機を示す構成図である。前記遠心分離機は、遠心分離部１、２、３と、駆動手段４と、制御部５と、電源部６と、ケース７と、ポンプ部１１、１２と、足踏みスイッチ（ｆｏｏｔ  ｓｗｉｔｃｈ）３１とを含んでなる。
【００１３】
前記遠心分離部１、２、３は、通常の遠心分離機と同一の構成を有するもので、バケット１と、ローター２と、チェンバー３とからなる。前記ローター２は回転羽で、スイングローターであっても、アングルローターであっても良い。前記バケット１は前記ローター２の一面に装着され、チューブまたは注射器が一つ以上装着され、前記チェンバー３は、前記ローター２とバケット１が回転する時、安全に収容可能な空間であれば充分である。
【００１４】
前記駆動手段４は前記ローター２の下部に装着され、前記電源部６を通じて供給されられた電力でローターを回転させる。前記駆動手段４は制御部５によって制御される。
【００１５】
前記チェンバー３内のローター２が回転する時、安全上、チェンバー３を密閉可能に開閉することができるドア７ａがチェンバー３上に設置される。脂肪を吸入したチューブまたは注射器を遠心分離しようとする時、ドア７ａを開いてバケット１に装着し、遠心分離動作の時にはドア７ａを閉める。
【００１６】
前記ケース７ｂは、一側面が前記ドア７ａと回動可能にヒンジ結合され、遠心分離機全体を支持し、一側面に連結具２１が形成されて、外部の構成品２２と連結可能にする。
【００１７】
前記外部構成品２２は、例えば、大韓民国特許出願第１０−２００３−０００５０２９号に開示された密閉型脂肪移植システムの脂肪移植容器を使えば、脂肪吸入と脂肪注入の過程を一つの容器で行えるので、空気接触による外部感染を無くすことができる。
【００１８】
前記ポンプ部１１、１２は、エアポンプ１１とバルブ１２とから構成されている。前記エアポンプ１１は真空及び圧縮の可能なポンプで、前記ケース連結具２１と連結されてケースの内部に位置し、前記バルブ１２は前記エアポンプ１１とケース連結具２１との間に連結されて電気的に自動開閉するバルブで、ケース連結具２１と連結された外部構成品２２として真空及び圧縮を選択的に行えるようにする。前記ポンプ部１１、１２も制御部５によって制御される。
【００１９】
図２は、本発明による遠心分離機の初期電源供給の時、作動準備のための動作流れを示す図で、電源部６によって器機に電源を供給し、器機をオンさせれば、制御部５によってポンプ部１１、１２のバルブ１２が１０秒間一緒に作動することになる。これは、ケース連結具２１とエアポンプ１１との間のラインに残留し得る空気を吸い出す過程で、意図せぬ圧力によって吸入及び注入されることを防止し、安全な手術ができるようにするためのものである。
【００２０】
時間においては、１秒の間隔で流れ、２秒間は何の作動もできないように構成して、エアポンプ１１の稼働のための最小限の空気除去時間として置く。２秒後、動作のための入力が入れば、制御部５によって、入力と同時に作動中の全てのバルブ１２を一緒に閉めて入力状態を記録し、図４に示すように、‘準備’状態に進み、各動作に当たるエアポンプ１１とバルブ１２を作動させることで、吸入または注入を可能にする。作動のための何の入力もない場合には、１０秒間の動作後、自動にバルブ１２を閉め、動作のための準備状態になる。前記１０秒の時間は空気除去に十分な時間であるが、必ずしもこれに限定されるものではなく、適宜変更することができる。
【００２１】
前記のような構成を有する遠心分離器によっても脂肪の吸入及び注入、遠心分離が可能であるが、より望ましくは、脂肪吸入と脂肪注入の時、便利な操作のために、足踏みスイッチ３１を利用して作動させることができる。
【００２２】
真空及び圧縮機能のためのエアポンプとバルブの作動と足踏みスイッチ動作による器機の作動手順を図３及び図４に基づいて説明する。図３において、矢印の方向は空気の流れを意味する。
【００２３】
第１足踏みスイッチ３１ａは真空のためのものであり、第２足踏みスイッチ３１ｂは低圧の圧縮のためのものであり、第３足踏みスイッチ３１ｃは高圧の圧縮のためのものである。足踏みスイッチ３１の数は機能によって違うことができる。
【００２４】
脂肪吸入のために、脂肪を抽出しようとする部位を２〜５ｍｍだけ切開し、この切開部を通じてカニューレ（ｃａｎｎｕｌａ）を挿入する。その後、カニューレと連結された外部構成品２２によって真空をかけるために、第１足踏みスイッチ３１ａを踏めば、制御部５によって第１バルブ１２ａと第５バルブ１２ｅが開かれ、エアポンプ１１が作動する。前記過程によって、外部構成品２２内の空気が第５バルブ１２ｅを経て、エアポンプ１１、第１バルブ１２ａに移動し、外に排出されることによって、外部構成品２２の内部が真空状態になり、カニューレを通じて脂肪が吸入されることになる。吸入を終えるために、前記第１足踏みスイッチ３１ａの作動を止めれば、作動中の第１バルブ１２ａ、第５バルブ１２ｅとエアポンプ１１が停止する。
【００２５】
前記過程によって吸入された脂肪は、脂肪のみならず、血液、体液などの不純物とともに吸入されて出るから、胸、顔、ヒップなどにすぐ注入すれば、注入した脂肪の大部分が吸入されてしまい、所望の大きさまたは形状を得ることができない。したがって、脂肪生存率を高めるための色々の試みが行われているが、臨床実験の結果、純粋脂肪のみを漉して注入することで生存率を高める結果を得ることができた。前記純粋脂肪は遠心分離過程によって得ることができる。これは、脂肪、血液、体液などの比重が互いに異なるため、遠心分離を行えば、血液層と脂肪層に分けられるからである。したがって、前記血液層を取り除き、純粋脂肪のみを人体部位に移植することができる。
【００２６】
遠心分離の後、脂肪注入のために、注入しようとする人体部位にカニューレまたは注射器の針を挿入し、前記カニューレまたは注射器の針と連結された外部構成品２２に圧縮力を加える。
【００２７】
前記圧縮力は、圧力調節機１３によって、低圧、高圧または色々の圧力に調節可能である。前記圧力調節機１３は空気の流れによって作動し、予め設定された一定圧力に維持させる。したがって、脂肪注入手術の時、一定圧力で手術することができ、デコボコになる副作用を無くすことができる。一般に、皮下脂肪層のように抵抗の弱い部位には低圧の圧縮を利用し、筋肉層のように抵抗が強くて低圧の圧縮によってはできない時は、高圧の圧縮を利用することができる。
【００２８】
まず、一般の皮下脂肪層に脂肪を注入するために、低圧の圧縮用第２足踏みスイッチ３１ｂを踏めば、制御部５によって第２バルブ２１２ｂと第４バルブ１２ｄが開かれ、エアポンプ１１が作動する。前記過程によって、外気が第４バルブ１２ｄ、エアポンプ１１、圧力調節機１３、及び第２バルブ１２ｂを通じて外部構成品２２に供給されることにより、外部構成品２２内の脂肪がカニューレまたは注射器の針を通じて移植部位に注入される。注入を終えるために、第２足踏みスイッチ３１ｂの作動を止めれば、作動中の第２バルブ１２ｂ、第４バルブ１２ｄ及びエアポンプ１１が停止する。
【００２９】
また、筋肉層のように抵抗が強いため、低圧の圧縮によって人体移植部位に注入が円滑にできない時には、高圧圧縮用第３足踏みスイッチ３１ｃを踏む。すると、制御部５によって、第３バルブ１２ｃ及び第４バルブ１２ｄが開かれ、エアポンプ１１が稼動される。前記過程によって、外部の空気が第４バルブ１２ｄ、エアポンプ１１、圧力調節機１３、及び第３バルブ１２ｃを通じて外部構成品２２に供給されることにより、外部構成品２２内の脂肪がカニューレまたは注射器の針を通じて移植部位に注入されることになる。注入を終えるために、第３足踏みスイッチ３１ｃの作動を止めれば、作動中の第３バルブ１２ｃ、第４バルブ１２ｄ及びエアポンプ１１の作動が停止する。
【００３０】
前記低圧の圧縮と高圧の圧縮の過程で、速度調節機１４をエアポンプ１１とケース連結具２１との間の圧縮ラインに設置することで速度を調節することができる。前記速度調節機１４は空気の流れによって作動し、圧縮の利用時、空気の移動速度を調節することができるので、手術者の熟練程度または人体の手術部位に応じて調節して使用することができる。
【００３１】
前記吸入及び注入の時、圧力調節機１３での所望の圧力値以上（過圧力）になれば、すなわち、図４に示すように、足踏みスイッチ動作による器機の作動フローチャートにおいて、‘過圧力’に対する値が‘はい’になれば、自動にエアポンプ１１及びバルブ１２を停止させて足踏みスイッチ３１の作動を停止させる。これは、圧力調節機１３に異常が生じる場合に備える安全装置の役目をする。
【００３２】
また、吸入及び注入の時、第１、第２及び第３足踏みスイッチ３１の作動を止めれば、作動中のバルブ１２とエアポンプ１１が停止し、同時に第１ないし第５バルブ１２が一緒に作動して、外部構成品２２内の残留圧力を除去することで、人体部位からカニューレまたは注射器の針を除去する時、意図せぬ圧力によって脂肪が吸い込まれるかまたは脂肪が注入されることを防止することができる。こうすると、図２の‘状態０’に進み、器機がオンされた状態と同様な順序の動作を踏むことになる。
【００３３】
以上説明した本発明は、前述した実施例及び添付図面によって限定されるものではなく、本発明の技術的思想を逸脱しない範囲内で色々の置換、変形及び変更が可能であることは、本発明が属する技術分野で通常の知識を持った者に明らかであろう。
【図１】
2007532280.tif 000003
【図２】
2007532280.tif 000004
【図３】
2007532280.tif 000005
【図４】
2007532280.tif 000006
【国際調査報告】
2007532280.tif 000007
2007532280.tif 000008